(57)【要約】【課題】一方向に付勢して位置決めを行なう切替機構の位置決め精度及び動作信頼性を向上させ、限られたスペースに組み込んでもスムーズな連係動作が行なえるようにする。【解決手段】操作部材１５が第２操作位置にあるときは、操作部材１５と一体に設けられた減光用突起７５のカム部７５ａと減光レバー６８のリフト片７７の当接部７７ａとが小さな圧力角で当接する。操作部材１５を第３操作位置に回動すると、その途中で当接状態が切り替えられ、当接部７５ｂがカム部７７ｂに小さな圧力角αで当接する。限られたスペースや支点、作用点の条件でも圧力角αを一定の大きさ以下に抑えることができ、スムーズな連係動作を行なうことができる。操作部材１５が第３操作位置に達すると、操作部材１５の回動中心と同心円とされた円弧面７５ｃがリフト片７７を受けるので、減光レバー７７の位置は安定する。【選択図】　　　　図１１
2004078066.tif 000002
【特許請求の範囲】
【請求項１】
初期位置と少なくとも一つの操作位置との間で回動自在とされた操作部材と、初期位置と少なくとも一つの切替位置との間で移動自在とされ、切替位置に移動したときに撮影モードを切り替えるモード切替部材と、このモード切替部材を初期位置に向けて付勢する付勢部材とからなり、操作部材の操作位置への回動の際に、操作部材に設けられた押圧部でモード切替部材の被押圧部を押圧して初期位置から切替位置に移動させる撮影モード切替機構において、
前記押圧部に、操作部材の回動中心と同心で、切替位置にあるモード切替部材の被押圧部に当接する半径を有する円弧面を形成したことを特徴とする撮影モード切替機構。
【請求項２】
前記押圧部と被押圧部とに、円形の当接部と、円形の当接部を受けるカム部とをそれぞれ形成し、操作部材の操作位置への回動初期に一方の当接部と他方のカム部とを接触させ、回動途中で一方のカム部と他方の当接部とが接触するように接触状態を切り替えることを特徴とする請求項１記載の撮影モード切替機構。
【請求項３】
初期位置と少なくとも一つの操作位置との間で回動自在とされた操作部材と、初期位置と少なくとも一つの切替位置との間で移動自在とされ、切替位置に移動したときに撮影モードを切り替えるモード切替部材と、このモード切替部材を初期位置に向けて付勢する付勢部材とからなり、操作部材の操作位置への回動の際に、操作部材に設けられた押圧部でモード切替部材の被押圧部を押圧して初期位置から切替位置に移動させる撮影モード切替機構において、
前記押圧部と被押圧部とに、円形の当接部と、円形の当接部を受けるカム部とをそれぞれ形成し、操作部材の操作位置への回動初期に一方の当接部と他方のカム部とを接触させ、回動途中で一方のカム部と他方の当接部とが接触するように接触状態を切り替えることを特徴とする撮影モード切替機構。
【発明の詳細な説明】
【０００１】
【発明の属する技術分野】
本発明は、複数の撮影モードを選択できるようにした撮影モード切替機構に関し、更に詳しくは、ローコストで位置精度及び動作信頼性が高く、部品レイアウトの自由度が高くなるよう改良した撮影モード切替機構するものである。
【０００２】
【従来の技術】
製造時に写真フイルムが装填されたレンズ付きフイルムユニットが各種販売されている。このレンズ付きフイルムユニットの中には、操作部材の操作によって、露出や撮影画角、プリントサイズ等を切り替えて、複数の撮影モードに設定できるようにした撮影モード切替機構を組み込んだものがある。
【０００３】
撮影モード切替機構を備えたレンズ付きフイルムユニットとして、ストロボ撮影時に大絞りとなるレンズ付きフイルムユニット（特開２０００−３０５２２１号）や、ファインダの視野範囲とアパーチャサイズとが切り替えられるレンズ付きフイルムユニット（特開平０７−１３４３６８号）等がある。また、切替機構では、切替位置の精度向上のために、操作部材や切替部材にバネ付勢を行なってストッパーに押し当てる位置決め方法が通常用いられている。この位置決め方法には、トグルバネを用いた２方向付勢タイプと、通常の引っ張りバネや捩じりバネを用いた１方向付勢タイプとがある。
【０００４】
上記特開２０００−３０５２２１号公報記載のレンズ付きフイルムユニットには、２方向付勢タイプの位置決め方法が用いられている。トグルバネは、絞り切替部材にかけられており、大絞り位置と小絞り位置とのそれぞれに付勢を行ない、各位置で絞り切替部材をストッパーに押し当てている。
【０００５】
また、特開平０７−１３４３６８号公報記載のレンズ付きフイルムユニットには、１方向付勢タイプの位置決め方法が用いられている。バネは、アパーチャーサイズを切り替える一対のリンクされた切替部材の間にかけられている。常態では、バネの付勢によって各切替部材をストッパーに当接させ、通常のアパーチャーサイズにセットしている。モード切替時には、バネの付勢に抗して切替部材を移動させ、クリック係止することでパノラマ対応のアパーチャーサイズに切り替えている。
【０００６】
２方向付勢タイプの位置決め方法は、切替部材や操作部材を、２方向に付勢することができるため位置精度が出しやすい。これに対し、１方向付勢タイプの位置決め方法は、通常の引っ張りバネや捩じりバネを使用できるので、トグルバネに比べてコストダウンを図ることができる。また、トグルバネに比べて大きな動作スペースを必要としないため、取り付け位置等のレイアウトに対する自由度が高い。
【０００７】
また、操作部材の操作に連動して切替部材を移動させる切替機構では、操作部材と切替部材との連動をスムーズにするために、一方に円形または球形にした当接部を形成し、他方にこの当接部を受ける平面または円弧状のカム部を形成する構成が多く用いられている。
【０００８】
【発明が解決しようとする課題】
小型で販売価格の低いレンズ付きフイルムユニットには、省スペース、低コストな１方向付勢タイプの位置決め方法が適している。しかし、この一方向付勢タイプは、付勢方向ではストッパーに当接させることで所定の位置決め精度を得ることができるが、切り替え時にクリックストップ機構等によって操作部材や切替部材をバネ付勢に抗して保持させなくてはならないため、高い位置決め精度は得られない。
【０００９】
また、操作部材の動作スペース内に異物等が詰まることを考慮して付勢力の強いバネを使用すると、クリックストップ機構への負荷が大きくなり位置決め精度を悪くすることがあった。特に、操作部材と切替部材との配置が離れている場合には、操作部材または切替部材から延設した連動部材が長くなるため、変形等により切替常態が維持できなくなったり、切替位置の精度が保てないことがある。これを解決するために、ポリアセテート（ＰＯＭ）等を用いて部品を形成することもできるが、コストが上昇してしまう。
【００１０】
更に、既存のレンズ付きフイルムユニットを改良する際や小型化する場合には、操作部材と切替部材とを連係させる円形の当接部とカム部とに、動作支点や作用点、強度確保等の制約が加わる。これにより、カムの圧力角が大きくなって、スムースな連動が行なえなくなることもあった。
【００１１】
本発明は、上記各問題点を解決するためのもので、１方向付勢タイプの位置決め方法の位置精度及び動作信頼性を向上させ、限られたスペース内でも当接部とカム部との圧力角を小さくしてスムースな連係動作を行なえるようにすることを目的とする。
【００１２】
【課題を解決するための手段】
上記問題点を解決するために、本発明の撮影モード切替機構は、操作部材に設けられた押圧部に、操作部材の回動中心と同心で、切替位置にあるモード切替部材の被押圧部に当接する半径を有する円弧面を形成したものである。
【００１３】
また、押圧部と被押圧部とに、円形の当接部と、円形の当接部を受けるカム部とをそれぞれ形成し、操作部材の操作位置への回動初期に一方の当接部と他方のカム部とを接触させ、回動途中で一方のカム部と他方の当接部とが接触するようにしてもよい。
【００１４】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１５】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１６】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動自在とされている。
【００１７】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。この第２撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００１８】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光部材１９が配置され、ストロボ光量の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１９】
図４は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行う撮影モード切替機構２５と、本体基部２３の前面側及び背面側に取り付けられる前カバー２６及び後カバー２７とからなる。
【００２０】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンし、ストロボ発光を行わせるシンクロスイッチ３０と、撮影モード選択部８の操作部材１５の移動によってオン／オフされる充電スイッチを構成する金属接片３１と、電池３２をストロボ回路に接続する電池接片３３等が取り付けられている。
【００２１】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００２２】
図５は、遮光筒３５の周囲に組み込まれたシャッタレリーズ機構，絞り切替機構，シャッタ速度切替機構，撮影光学系のうち、絞り切替機構とシャッタ速度切替機構とに関連する部品の構成を示した分解斜視図である。符号３７は、シャッタ羽根である。シャッタ羽根３７は、ピンに挿通されて揺動自在に保持される穴３７ａと、露光開口３８の前方に配置されて開閉を行う開閉部３７ｂと、バネ３９が掛けられるピン３７ｃと、シャッタ駆動レバーによって蹴飛ばされる突出部３７ｄと、ストロボユニット２４のシンクロスイッチ３０を動作させるシンクロ突起３７ｅとが設けられている。
【００２３】
シャッタ羽根３７は、バネ３９に付勢されて露光開口３８を塞ぐ閉じ位置に保持されている。シャッタボタン９が押下されると、図示しないシャッタ駆動レバーによって突出部３７ｄが図中左方から右方へと蹴飛ばされ、バネ３９の付勢に抗してシャッタ羽根３７が図中時計方向に回動する。これにより、露光開口３８が開放されて写真フイルムに撮影が行なわれる。
【００２４】
また、シャッタ羽根３７は、開き位置への回動時にシンクロ突起３７ｅでシンクロスイッチ３０の上部金属接片３０ａを押圧し、下部金属接片３０ｂに接触させる。一対の金属接片３０ａ，３０ｂが接触してシンクロスイッチ３０がＯＮすると、ストロボユニット２４の発光部７においてストロボ発光が行われる。
【００２５】
符号４１は、撮影レンズ５等を保持するレンズホルダである。レンズホルダ４１の前面には、撮影レンズ５や、大絞り開口が形成された絞り板等が収納される円筒形状の鏡筒４２と、くの字形状の絞り切替板４３を揺動自在に支持するピン４４とが設けられている。絞り切替板４３は、穴４３ａにピン４４が挿入されることにより、レンズホルダ４１の前面に揺動自在に保持され、鏡筒４２に形成された切欠部分から鏡筒４２内に挿脱される。そして、小絞り開口４７ｂを撮影光軸上に挿脱することで、絞りを切り替える。
【００２６】
レンズホルダ４１の上部には、シャッタ速度切替レバー４６を揺動自在に支持する軸４７が形成されている。シャッタ速度切替レバー４６は、軸４７に支持されるボス４８と、このボス４８の側面から突出されたアーム４９及び突出片５０と、アーム４９の先端に形成されたパッド５１とからなる。なお、図示していないが、レンズホルダ４１の前面には、撮影レンズ５や絞り切替板４３等を押さえるレンズ押さえ板が取り付けられる。
【００２７】
レンズホルダ４１の軸４７の先端には、一対の係止片５３が対称に形成されている。シャッタ速度切替レバー４６のボス４８には、係止片５３が挿入される一対の溝５４がやはり対称に形成されている。シャッタ速度切替レバー４６を軸４７に取り付ける際には、係止片５３と溝５４とが合致するように軸４７をボス４８に挿入し、係止片５３がボス４８の上部に達するまで挿入してからシャッタ速度切替レバー４６を僅かに回動させる。これにより、ボス４８の上面が係止片５３に押さえられるため、シャッタ速度切替レバー４６がレンズホルダ４１から不用意に外れることはない。
【００２８】
シャッタ速度切替レバー４６は、パッド５１がシンクロスイッチ３０の下部金属接片３０ｂの自由端側の下方に挿入されて当接する高速シャッタ位置と、パッド５１を下部金属接片３０ｂの下方から退避させる低速シャッタ位置との間で回動される。
【００２９】
シャッタ速度切替レバー４６のパッド５１が高速シャッタ位置にある際にシャッタレリーズが行われると、シャッタ羽根３７のシンクロ突起３７ｅに押圧されたシンクロスイッチ３０の上部金属接片３０ａが下部金属接片３０ｂに接触し、ストロボ発光が行われる。下部金属接片３０ｂはパッド５１に当接するため、シャッタ羽根３７は途中で回動が阻止される。これにより、短時間でシャッタ羽根３７が閉じ位置に復帰する。この高速シャッタでは、例えば１／１２０秒のシャッタ速度を得ることができる。
【００３０】
上記とは逆に、シャッタ速度切替レバー４６のパッド５１が低速シャッタ位置にある際には、シャッタ羽根３７の開き位置への回動が大きくなる。これは、金属接片３０ｂの弾性変形が自由になるためである。その結果、シャッタ羽根３７が閉じ位置に復帰するまでの時間が長くなって、シャッタ速度が遅くなる。この低速シャッタでは、例えば１／４５秒のシャッタ速度を得ることができる。
【００３１】
レンズホルダ４１の鏡筒４２の外周には、切替リング５６が回動自在に嵌入される。切替リング５６には、バネ５７の一端が掛けられるバネ掛けピン５６ａと、シャッタ速度切替レバー４６の突出片５０が間に挟み込まれる一対の挟持ピン５６ｂ，５６ｃと、撮影モード切替機構２５によって押圧される従動カム５６ｄとが設けられている。符号５６ｅは、絞り切替板４３の屈曲されたスリット４３ｃに挿入されるリンクピンである。
【００３２】
バネ５７の他端は、レンズホルダ４１の前面下部に形成されたピン５９に掛けられ、切替リング５６を図中時計方向に付勢する。なお、バネ５７によって付勢された切替リング５６は、絞り切替板４３によって初期位置に保持される。
【００３３】
符号６１は、操作部材１５が一体に形成された切替板である。この切替板６１には、水平方向に突出された押圧レバー６２が一体に形成されている。押圧レバー６２の先端には、操作部材１５が第２操作位置と第３操作位置との間で回動する際の回動中心と同心の円弧形状とされた押圧カム６３が設けられている。
【００３４】
図６（Ａ）は、第２撮影モードにある際の切替リング５６の状態を示している。操作部材１５が第１操作位置及び第２操作位置にある際には、押圧レバー６２は切替リング５６の従動ピン５６ｄに接触せず、切替リング５６は初期位置に保持される。
【００３５】
切替リング５６が初期位置にある際には、絞り切替板４３は鏡筒４２内に挿入されており、小絞り開口４３ｂが撮影光軸上に配置されて小絞り状態となる。この小絞り状態でのＦ値は、例えばＦ１４となる。また、一対の挟持ピン５６ｂ，５６ｃは、シャッタ速度切替レバー４６を高速シャッタ位置に保持している。
【００３６】
図６（Ｂ）及び図７に示すように、操作部材１５が第２操作位置から第３操作位置へと回動されると、押圧レバー６２の押圧カム６３の押圧部６３ａが従動カム５６ｄを下方から押圧し、切替リング５６を図中反時計方向に回動させ、最終的に押圧カム６３の押圧部６３ｂにより押圧された状態となる。この切替リング５６の回動により、リンクピン５６ｅにスリット４３ｃが押圧された絞り切替板４３は図中時計方向に回動し、光軸上から退避して大絞り開口６４を光軸上に配置する。大絞り状態でのＦ値は、例えばＦ５．６となる。また、一対の挟持ピン５６ｂ，５６ｃはシャッタ速度切替レバー４６を回動させ、パッド５１を低速シャッタ位置にセットする。
【００３７】
押圧カム６３の押圧部６３ｂは、操作部材１５の回動中心から半径Ｒ１で形成された同心円形状である。これにより、操作部材１５がわずかに回動した位置に停止されても、切替リング５６の回動位置が変化することはない。さらに、バネ５７による切替リング５６の押圧力は、切替板６１の回動中心に向けられるため、押圧レバー６２にかかる負荷が軽減される。そのため、押圧レバー６２が変形して切替リング５６の回動タイミングがずれてしまい、最悪の場合に切り替えが行なわれなくなるようなことはない。
【００３８】
また、切替板６１を第２操作位置に回動させようとする切替リング５６の押圧力は、押圧カム６３の押圧部分が６３ａから６３ｂに切り替わる直前に最大となり、切り替わった後は押圧力が弱くなる。したがって、操作部材１５を第３操作位置で係止するクリックストップ機構の係止力を小さくすることができる。さらには、この作用を操作部材１５を第３操作位置で係止するクリックストップ機構として利用することもできる。
【００３９】
絞り切替板４３のスリット４３ｃは、絞り切替板４３が小絞り位置にあるときに切替リング５６と同心となる円弧と、絞り切替板４３が大絞り位置にあるときに切替リング５６と同心となる円弧とが組み合わされた形状となっている。これによっても、振動や衝撃，撮影者の操作ミス等によって切替リング５６が僅かに回動して、絞り切替板４３が中途半端な位置に停止されて撮影が行なわれるのを防止することができる。
【００４０】
なお、図８に示すように、押圧カム６３の押圧部６３ｂの下端に、従動カム５６ｄの移動軌跡内に突出される突起６３ｃを設けてもよい。この突起６３ｃは、従動カム５６ｄに当接して切替リング５６の回動を阻止するため、振動や衝撃，誤操作等で切替板６１と切替リング５６との当接状態が解除されて切替リング５６が初期位置に回動することはない。
【００４１】
図９は、撮影モード切替機構２５の構成を示す分解斜視図である。撮影モード切替機構２５は、切替板６１と、軸受板６７と、スライド板６６と、受け板６５と、減光レバー６８と、減光板６９と、表示レバー７０とから構成されている。受け板６５は、ストロボユニット２４のプリント基板２９の前面に取り付けられ、スライド板６６と軸受板６７とを上下方向でスライド自在となるように保持する。
【００４２】
切替板６１の背面には、円環形状の回動ガイド６１ａと、スライド板６６をスライドさせる２本のスライドピン６１ｂ，６１ｃと、操作部材１５の回動時にクリック動作を行うクリックピン６１ｄと、操作部材１５の移動方向をガイドするガイドピン６１ｅと、減光レバー６８を動作させる減光用突起７５とが設けられている。２本のスライドピン６１ｂ，６１ｃは、回動ガイド６１ａの中に配置されている。
【００４３】
切替板６１は、回動ガイド６１ａが軸受板６７に形成された軸受開口６７ａに挿入されて回動自在に保持される。切替板６１とスライド板６６との間では、切替板６１のスライドピン６１ｂ，６１ｃが軸受板６７を貫通してスライド板６６のスリット６６ｂ，６６ｃに挿入されて連係している。
【００４４】
操作部材１５が第１操作位置から第２操作位置へとスライドされると、切替板６１と軸受板６７との間の連係、切替板６１とスライド板６６との間の連係とによって、切替板６１と軸受板６７とスライド板６６とが一緒に上方にスライドする。操作部材１５が第２操作位置から第３操作位置へと回動されると、切替板６１のスライドピン６１ｃがスライド板６６を更に上方にスライドさせる。切替板６１のスライド及び回動軌跡は、ガイドピン６１ｅが受け板６５のガイドカム６５ｂに沿って移動することで安定する。
【００４５】
受け板６５と軸受板６７とには、上方にスライドされた軸受板６７をその位置で保持するクリックストップ機構が設けられている。このクリックストップ機構は、受け板６５に設けられた係止突起６５ａと、軸受板６７に設けられた弾性突起６７ｃとからなる。
【００４６】
切替板６１と軸受板６７とには、操作部材１５が第３操作位置に回動された際に切替板６１をその位置で保持し、かつ第２操作位置よりも上方にスライドされたスライド板６６をも保持するクリックストップ機構が設けられている。このクリックストップ機構は、切替板６１のクリックピン６１ｄと、軸受板６７の弾性突起６７ｄとからなる。
【００４７】
スライド板６６には、シグナル部材１７の係合ピン１７ａに係合する係合部６６ｅが設けられている。操作部材１５が第１操作位置にある際には、シグナル部材１７はユニット本体３内に収納されている。操作部材１５が第２操作位置に操作されると、シグナル部材１７はスライド板６６のスライドに連動してユニット本体３の上面から突出される。また、操作部材１５が第３操作位置に回動されると、スライド板６６が更に上方にスライドするため、同様にシグナル部材１７の突出量も大きくなる。
【００４８】
軸受板６７の背面には、操作部材１５が第２操作位置または第３操作位置にある時に、スライド板６６と受け板６５とを貫通して、ストロボユニット２４の充電スイッチの金属接片３１を押圧する押圧片６７ｅが設けられている。
【００４９】
受け板６５には、減光レバー６８と表示レバー７０とが回動自在に取り付けられるピン６５ｃ，６５ｄが設けられている。ピン６５ｃに取り付けられる減光レバー６８のボス６８ｄの外周には、捩じりバネ７２が取り付けられる。この捩じりバネ７２は、一端が減光レバー６８に他端が受け板６５に取り付けられて、減光レバー６８を図中時計方向、すなわち減光部材１９をユニット本体３内に収納する方向に付勢する。
【００５０】
減光板６９は、減光部材１９の下方に縦方向の長穴６９ａと横方向の長穴６９ｂとが形成されている。縦方向の長穴６９ａには、前カバー２６の前面内壁でストロボ発光部の下方に形成された複数本のピン２６ｂが挿入される。これにより、減光板６９は前カバー２６の内側において上下方向でスライド自在となる。横方向の長穴６９ｂには、減光レバー６８の先端６８ａに形成されたリンクピン６８ｂが挿入される。
【００５１】
図１０に示すように、操作部材１５が第２操作位置にあるときには、減光用突起７５と、減光レバー６８のリフト片７７とが当接する。これにより、操作部材１５は、捩じりバネ７２の付勢によって第２操作位置に保持される。また、この第２操作位置では、リフト片７７の円形の当接部７７ａと、減光用突起７５の平坦なカム部７５ａとが当接しており、その圧力角αは小さい。そのため、操作部材１５を第３操作位置に向けて回動する際に必要な回動力も小さくなる。
【００５２】
図１１に示すように、操作部材１５を第３操作位置に向けて僅かに回動すると、減光用突起７５とリフト片７７との当接状態が切り替わり、減光用突起７５の円形の当接部７５ｂと、リフト片７７の平坦なカム部７７ｂとが当接する。
【００５３】
図１２及び図１３は、減光用突起８０とリフト片８１との当接状態が切り替わらない形状の例である。操作部材１５の回動による両者の圧力角の変化を図１４のグラフに示す。本実施形態のレンズ付きフイルムユニットは、連動部材の支点及び作用点の配置に制約がある。そのため、減光用突起８０とリフト片８１との当接状態を切り替えない形状だと、図１４のグラフに破線で示すように、圧力角αが６０度を超えてしまい、操作部材１５の操作負荷が極端に大きくなるとともに、部品の加工精度やわずかな異物の挟み込み等によって連動不能となる。これに対し、本発明のように、減光用突起７５とリフト片７７との当接状態を切り替える方式を採用することで、図１４のグラフに実線で示すように、圧力角を一定の大きさ以下に抑えることができる。
【００５４】
図１５に示すように、操作部材１５が第３操作位置に達すると、減光用突起７５の円弧面７５ｃにリフト片７７の当接部７７ａが当接する。円弧面７５ｃは、操作部材１５の回動中心から半径Ｒ２で形成された同心円形状であるため、減光レバー６８の押圧力は切替板６１の回動中心で受け止められることになる。これにより、操作部材１５が多少回動しても減光レバー６８が回動することはなく、減光部材１９の位置が安定する。また、減光レバー６８が切替板６１を第２操作位置に向けて付勢する力が弱くなるため、切替板６１を第３操作位置で係止しているクリックストップ機構の係止力を弱くすることができる。更には、この作用を操作部材１５のクリックストップに利用することもできる。
【００５５】
減光レバー６８は、操作部材１５が第３操作位置に操作された時に、リンクピン６８ｂで減光板６９を持ち上げ、減光部材１９をストロボ発光部７の前方に挿入する。また、突起７０ａをリンク開口６８ｅで押圧し、表示レバー７０を時計方向に回動させてファインダ６の前方に指標板２０を挿入する。
【００５６】
なお、図１６に示すように、減光用突起７５の当接部７５ｂを円弧面７５ｃよりも突出させてもよい。これにより、誤操作によって減光用突起７５がリフト片７７を乗り越えるのを阻止することができる。また、円弧面７５ｃに突起７５ｄを設けてもよい。この突起７５ｄによれば、捩じりバネ７２の付勢力によって操作部材１５が第２操作位置に回動されるのを阻止することができ、クリックストップ機構を補助することができる。
【００５７】
なお、上記実施形態は、レンズ付きフイルムユニットを例に説明したが、カメラにも適用することができる。
【００５８】
【発明の効果】
以上説明したように、本発明の撮影モード切替機構によれば、１方向に付勢して位置決めを行なう場合でも、位置決め精度を向上させ、動作信頼性を高めることができる。また、限られたスペース内に組み込む場合でも、当接部とカム部との圧力角を小さくすることができるので、スムースな連係動作を行なえるようにすることができる。
【図面の簡単な説明】
【図１】本発明を用いたレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】ユニット本体の構成を示す分解斜視図である。
【図５】絞り切替機構及びシャッタ速度切替機構の構成を示す分解斜視図である。
【図６】絞り及びシャッタ速度切替機構の日中撮影モードと日中シンクロ撮影モードとを示す説明図である。
【図７】押圧カムの形状を示す説明図である。
【図８】押圧カムの別の形状を示す説明図である。
【図９】撮影モード切替機構の構成を示す分解斜視図である。
【図１０】撮影モード切替機構の日中シンクロ撮影モードを示す説明図である。
【図１１】撮影モード切替機構の日中シンクロ撮影モードから夜間シンクロ撮影モードへの切替途中を示す説明図である。
【図１２】減光用突起とリフト片との当接状態が切り替わらない撮影モード切替機構の日中シンクロ撮影モードを示す説明図である。
【図１３】減光用突起とリフト片との当接状態が切り替わらない撮影モード切替機構の日中シンクロ撮影モードから夜間シンクロ撮影モードへの切替途中を示す説明図である。
【図１４】操作部材の回動角度に対する減光用突起とリフト片との圧力角を示すグラフである。
【図１５】撮影モード切替機構の夜間シンクロ撮影モードを示す説明図である。
【図１６】減光用突起の別の形状を示す説明図である。
【符号の説明】
２　レンズ付きフイルムユニット
８　撮影モード選択部
１５　操作部材
１９　減光部材
２５　撮影モード切替機構
４３　絞り切替板
４６　シャッタ速度切替レバー
５６　切替リング
６１　切替板
６８　減光レバー
７２　捩じりバネ
【図１】
2004078066.tif 000003
【図２】
2004078066.tif 000004
【図３】
2004078066.tif 000005
【図４】
2004078066.tif 000006
【図５】
2004078066.tif 000007
【図６】
2004078066.tif 000008
【図７】
2004078066.tif 000009
【図８】
2004078066.tif 000010
【図９】
2004078066.tif 000011
【図１０】
2004078066.tif 000012
【図１１】
2004078066.tif 000013
【図１２】
2004078066.tif 000014
【図１３】
2004078066.tif 000015
【図１４】
2004078066.tif 000016
【図１５】
2004078066.tif 000017
【図１６】
2004078066.tif 000018